(57)【要約】【課題】  履歴情報から通話の相手の特定を容易にすること。【解決手段】  携帯電話機は、過去の通信相手の電話番号を含み、通信の履歴を示す履歴情報８１を記憶する履歴記憶部（Ｓ４５）と、通信相手の電話番号に対応した氏名を記憶する電話帳と、履歴情報を表示する履歴表示部と、履歴情報に含まれる電話番号に対応する付加情報を受け付け、記憶する付加情報受付部（Ｓ５０、Ｓ５５）と、を備え、履歴表示部は、履歴情報に含まれる電話番号に対応する氏名が記憶されている場合、履歴情報に含まれる電話番号に代えて、氏名を表示する代替表示部（Ｓ３８）と、履歴情報に含まれる電話番号に対応する付加情報が記憶されている場合、該付加情報を表示する付加情報表示部（Ｓ３５）と、を含む。【選択図】        図７
2010141539.tif 000002
【特許請求の範囲】
【請求項１】
過去の通信相手の識別情報を含み、通信の履歴を示す履歴情報を記憶する通信履歴記憶手段と、
通信相手の識別情報に対応した個人情報を記憶する個人情報記憶手段と、
前記履歴情報を表示する履歴表示手段と、
前記履歴情報に含まれる識別情報に対応する付加情報を受け付け、記憶する付加情報受付手段と、を備え、
前記履歴表示手段は、前記履歴情報に含まれる識別情報に対応する個人情報が記憶されている場合、前記履歴情報に含まれる前記識別情報に代えて、前記個人情報を表示する代替表示手段と、
前記履歴情報に含まれる識別情報に対応する付加情報が記憶されている場合、該付加情報を表示する付加情報表示手段と、を含む通信装置。
【請求項２】
前記付加情報表示手段は、前記履歴情報に含まれる識別情報に対応する個人情報が記憶されていない場合に、前記履歴情報に含まれる前記識別情報に代えて前記付加情報を表示する、請求項１に記載の通信装置。
【請求項３】
前記付加情報受付手段は、前記履歴情報に含まれる識別情報に対応する個人情報が記憶されていないことを条件に、前記付加情報を受け付ける、請求項１または２に記載の通信装置。
【請求項４】
前記付加情報受付手段は、通信相手との通信が終了することに応じて、前記付加情報を入力するための入力画面を表示する入力画面表示手段を含む、請求項１〜３のいずれかに記載の通信装置。
【請求項５】
過去の通信相手の識別情報を含み、通信の履歴を示す履歴情報を記憶するステップと、
通信相手の識別情報に対応した個人情報を記憶するステップと、
前記履歴情報を表示するステップと、
前記履歴情報に含まれる識別情報に対応する付加情報を受け付け、記憶するステップと、を含み、
前記履歴情報を表示するステップは、前記履歴情報に含まれる識別情報に対応する個人情報が記憶されている場合、前記履歴情報に含まれる前記識別情報に代えて、前記個人情報を表示するステップと、
前記履歴情報に含まれる識別情報に対応する付加情報が記憶されている場合、該付加情報を表示するステップと、を含む通信履歴表示方法。
【請求項６】
過去の通信相手の識別情報を含み、通信の履歴を示す履歴情報を記憶するステップと、
通信相手の識別情報に対応した個人情報を記憶するステップと、
前記履歴情報を表示するステップと、
前記履歴情報に含まれる識別情報に対応する付加情報を受け付け、記憶するステップと、を含み、
前記履歴情報を表示するステップは、前記履歴情報に含まれる識別情報に対応する個人情報が記憶されている場合、前記履歴情報に含まれる前記識別情報に代えて、前記個人情報を表示するステップと、
前記履歴情報に含まれる識別情報に対応する付加情報が記憶されている場合、該付加情報を表示するステップと、をコンピュータに実行させるための通信履歴表示プログラム。
【発明の詳細な説明】
【技術分野】
【０００１】
この発明は、通信装置、通信履歴表示方法および通信履歴表示プログラムに関し、特に過去に通信相手と通信した履歴を記憶する通信装置、その通信装置で実行される通信履歴表示方法および通信履歴表示プログラムに関する。
【背景技術】
【０００２】
近年、携帯電話機は、通話相手の氏名とその者が所有する携帯電話機に割り当てられた電話番号とを関連付けた電話帳を記憶することができる。この携帯電話機は、発信時または着信時に、発信または着信した電話番号が電話帳に登録されていれば、対応する氏名を表示する。しかしながら、発信する電話番号が電話帳に登録されていない場合、または着信した電話番号が電話帳に登録されていない場合、電話番号しか表示することができない。
【０００３】
特開２００２−１９０８６０号公報（特許文献１）には、着信した電話番号が電話帳に登録されていない場合は、自動的に定型な登録名を付与して電話帳などに登録する技術が記載されている。しかしながら、定型な登録名を表示することができるが、定型な登録名だけではユーザは通話しなければ通信相手を特定することができないため、通話して相手を特定した後に定型な登録名と対応付けて記憶しなければならない。この対応付けを忘れてしまった場合には、定型な登録名から相手が誰であるかを特定することができなくなってしまうといった問題がある。また、電話帳に多くの電話番号が自動的に登録されることになり、メモリ資源が浪費されてしまうという問題がある。特に、電話帳のために割り当てられたメモリ領域のサイズにも制限があるので、メモリ領域が不足すると新たな電話番号を電話帳に登録することができなくなってしまう。
【特許文献１】特開２００２−１９０８６０号公報
【発明の開示】
【発明が解決しようとする課題】
【０００４】
この発明は上述した問題点を解決するためになされたもので、この発明の目的の一つは、履歴情報から通話の相手の特定を容易にすることが可能な通信方法、通信履歴表示方法および通信履歴表示プログラムを提供することである。
【０００５】
この発明の他の目的は、記憶容量を効率的に利用することが可能な通信装置、通信履歴表示方法および通信履歴表示プログラムを提供することである。
【課題を解決するための手段】
【０００６】
上述した目的を達成するためにこの発明のある局面によれば、通信装置は、過去の通信相手の識別情報を含み、通信の履歴を示す履歴情報を記憶する通信履歴記憶手段と、通信相手の識別情報に対応した個人情報を記憶する個人情報記憶手段と、履歴情報を表示する履歴表示手段と、履歴情報に含まれる識別情報に対応する付加情報を受け付け、記憶する付加情報受付手段と、を備え、履歴表示手段は、履歴情報に含まれる識別情報に対応する個人情報が記憶されている場合、履歴情報に含まれる識別情報に代えて、個人情報を表示する代替表示手段と、履歴情報に含まれる識別情報に対応する付加情報が記憶されている場合、該付加情報を表示する付加情報表示手段と、を含む。
【０００７】
この局面に従えば、履歴情報に含まれる識別情報に対応する個人情報が記憶されている場合は、識別情報に代えて個人情報が表示され、識別情報に対応する付加情報が記憶されている場合は付加情報が表示される。このため、履歴情報を表示する際に付加情報が表示されるので、通話の相手を識別情報とは別の付加情報で判断することができる。その結果、履歴情報から通話の相手の特定を容易にすることが可能な通信機器を提供することができる。また、個人情報とは別に付加情報が受け付けられるので、個人情報と付加情報とを別々に記憶することができ、個人情報を記憶するための領域を浪費することがない。その結果、記憶容量を効率的に利用することが可能な通信機器を提供することができる。
【０００８】
好ましくは、付加情報表示手段は、履歴情報に含まれる識別情報に対応する個人情報が記憶されていない場合に、履歴情報に含まれる識別情報に代えて付加情報を表示する。
【０００９】
この局面に従えば、個人情報が記憶されていない場合に付加情報が表示されるので、付加情報が個人情報と同じ場合に重複して個人情報が表示されるのを防止することができる。
【００１０】
好ましくは、付加情報受付手段は、履歴情報に含まれる識別情報に対応する個人情報が記憶されていないことを条件に、付加情報を受け付ける。
【００１１】
この局面に従えば、識別情報に対応する個人情報が記憶されている場合、付加情報が受け付けられないので、付加情報が個人情報と同じ場合に重複して個人情報が記憶されるのを防止することができる。
【００１２】
好ましくは、付加情報受付手段は、通信相手との通信が終了することに応じて、付加情報を入力するための入力画面を表示する入力画面表示手段を含む。
【００１３】
この局面に従えば、通信相手との通信が終了すると入力画面が表示されるので、付加情報を入力するための操作が容易となる。また、付加情報を入力する適切な機会をユーザに与えることができる。
【００１４】
この発明の他の局面によれば、通信履歴表示方法は、過去の通信相手の識別情報を含み、通信の履歴を示す履歴情報を記憶するステップと、通信相手の識別情報に対応した個人情報を記憶するステップと、履歴情報を表示するステップと、履歴情報に含まれる識別情報に対応する付加情報を受け付け、記憶するステップと、を含み、履歴情報を表示するステップは、履歴情報に含まれる識別情報に対応する個人情報が記憶されている場合、履歴情報に含まれる識別情報に代えて、個人情報を表示するステップと、履歴情報に含まれる識別情報に対応する付加情報が記憶されている場合、該付加情報を表示するステップと、を含む。
【００１５】
この局面に従えば、履歴情報から通話の相手の特定を容易にすることが可能な通信履歴表示方法を提供することができる。また、メモリ領域を効率的に使用することが可能な通信履歴表示方法を提供することができる。
【００１６】
この発明のさらに他の局面によれば、通信履歴表示プログラムは、過去の通信相手の識別情報を含み、通信の履歴を示す履歴情報を記憶するステップと、通信相手の識別情報に対応した個人情報を記憶するステップと、履歴情報を表示するステップと、履歴情報に含まれる識別情報に対応する付加情報を受け付け、記憶するステップと、を含み、履歴情報を表示するステップは、履歴情報に含まれる識別情報に対応する個人情報が記憶されている場合、履歴情報に含まれる識別情報に代えて、個人情報を表示するステップと、履歴情報に含まれる識別情報に対応する付加情報が記憶されている場合、該付加情報を表示するステップと、をコンピュータに実行させる。
【００１７】
この局面に従えば、履歴情報から通話の相手の特定を容易にすることが可能な通信履歴表示プログラムを提供することができる。また、メモリ領域を効率的に使用することが可能な通信履歴表示プログラムを提供することができる。
【発明を実施するための最良の形態】
【００１８】
以下、本発明の実施の形態について図面を参照して説明する。以下の説明では同一の部品には同一の符号を付してある。それらの名称および機能も同じである。したがってそれらについての詳細な説明は繰返さない。
【００１９】
図１は、本発明の実施の形態の一つにおける携帯電話の外観を示す斜視図である。図１は、オープンスタイルの状態にある携帯電話の外観を示す図である。図１を参照して、通信装置としての携帯電話機１は、操作側部３と、表示側部２とを含む。操作側部３は、テンキーおよび通話キー等を含む操作キー１４と、マイクロフォン１３とが内側面に配置される。表示側部２は、液晶表示装置（ＬＣＤ）１５と、レシーバを構成するスピーカ１１と、カメラ２４とが内側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２０】
図２は、本実施の形態における携帯電話機のハードウェア構成の一例を示すブロック図である。図２を参照して、携帯電話機１は、携帯電話機１の全体を制御するためのＣＰＵ２１と、アンテナ２２Ａと接続された無線回路２２と、音声データを符号化または復号するためのコーデック部２３と、音声データを処理するための音声制御部２８と、カメラ２４と、ユーザの操作の入力を受け付ける操作部２５と、着信を報知するための振動部２６と、ＣＰＵ２１で実行するプログラム等を記憶するためのフラッシュメモリ３１と、ＣＰＵ２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００２１】
無線回路２２は、ＣＰＵ２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００２２】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、ＣＰＵ２１に出力する。また、無線回路２２は、ＣＰＵ２１から入力される電子メールを電子メールサーバに送信する。ＣＰＵ２１は、電子メールサーバとの間で送受信した電子メールをフラッシュメモリ３１に記憶する。
【００２３】
操作部２５は、操作キー１４を含む。操作キー１４は、複数のキーを含み、ユーザによる操作の入力を受け付け、受け付けた操作をＣＰＵ２１に出力する。
【００２４】
音声制御部２８は、マイクロフォン１３と接続され、マイクロフォン１３が集音して出力するアナログの音声信号が入力される。音声制御部２８は、マイクロフォン１３から入力される音声信号をコーデック部２３に出力する。また、音声制御部２８は、コーデック部２３から音声信号が入力され、コーデック部２３から入力された音声信号をスピーカ１１に出力する。
【００２５】
カードＩ／Ｆ２７には、着脱可能なメモリカード２７Ａが装着される。メモリカード２７Ａは、フラッシュメモリ等の不揮発性メモリを有し、プログラムを記憶可能である。ＣＰＵ２１は、カードＩ／Ｆ２７を介して、メモリカード２７Ａにアクセスが可能である。なお、ここではＣＰＵ２１で実行するためのプログラムをフラッシュメモリ３１に記憶しておく例を説明するが、プログラムをメモリカード２７Ａに記憶しておき、メモリカード２７Ａからプログラムを読み出して、ＣＰＵ２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、ＣＰＵ２１が、無線回路２２を介してインターネットに接続されたコンピュータからプログラムをダウンロードし、そのプログラムを実行するようにしてもよい。ここでいうプログラムは、ＣＰＵ２１により直接実行可能なプログラムだけでなく、ソースプログラム、圧縮処理されたプログラム、暗号化されたプログラム等を含む。
【００２６】
カメラ２４は、レンズおよびＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データをＣＰＵ２１に出力する。カメラ２４は、ＣＰＵ２１により制御され、ＣＰＵ２１からの指示により撮像を開始して、得られる静止画データまたは動画データをＣＰＵ２１に出力する。ＣＰＵ２１は、カメラ２４が出力する静止画データまたは動画データをＬＣＤ１５に表示する、または、所定の圧縮符号化方式で静止画データまたは動画データを符号化して、フラッシュメモリ３１またはカードＩ／Ｆ２７に装着されたメモリカード２７Ａに記憶する。
【００２７】
図３は、本発明の実施の形態の１つにおける携帯電話機のＣＰＵの機能の概要をフラッシュメモリに記憶する情報とともに示す機能ブロック図である。図３を参照して、ＣＰＵ２１は、発着信を制御する通信制御部５７と、過去に発着信した通信相手の識別情報を含み、発着信の履歴を示す履歴情報を記憶する履歴記憶部５１と、履歴情報を表示する履歴表示部６３と、付加情報を受け付ける付加情報受付部５９と、を含む。
【００２８】
通信制御部５７は、電話の発着信および電子メールの発着信を制御する。電話の発着信において、通信相手の識別情報は通信相手の携帯電話機に割り当てられた電話番号であり、電子メールの発着信において、通信相手の識別情報は、通信相手の電話機または通信相手に割り当てられた電子メールアドレスである。なお、電話機は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）に接続される固定電話機と、無線ネットワークに接続される携帯電話機とを含む。
【００２９】
通信制御部５７は、無線回路２２が基地局から着呼信号を受信すると、着呼信号に含まれる電話番号を着信相手の電話番号として履歴記憶部５１および付加情報受付部５９に出力する。通信制御部５７は、着呼信号が受信された後、ユーザにより操作キー１４のオフフックキーが押下されたことを検出すれば、基地局を通じて着信相手の電話機との間の回線を接続し、通話可能な状態となる。
【００３０】
また、通信制御部５７は、無線回路２２が基地局から電子メールを受信すると、電子メールをフラッシュメモリ３１に記憶するとともに、電子メールに含まれる着信相手の電子メールアドレスを着信相手の電子メールアドレスとして履歴記憶部５１および付加情報受付部５９に出力する。通信制御部５７は、電子メールが受信された後、ユーザにより操作キー１４のうち電子メールを閲覧するための操作が割り当てられたキーが押下されたことを検出すれば、フラッシュメモリ３１に記憶された電子メールをＬＣＤ１５に表示する。
【００３１】
また、通信制御部５７は、携帯電話機１のユーザが操作キー１４に電話番号を直接入力すると、入力された電話番号を発信相手の電話番号として履歴記憶部５１および付加情報受付部５９に出力する。さらに、後述する履歴表示部６３から電話番号が入力されると、入力された電話番号を発信相手の電話番号として履歴記憶部５１および付加情報受付部５９に出力する。通信制御部５７は、発信相手の電話番号が入力された後、ユーザにより操作キー１４のオフフックキーが押下されたことを検出すれば、基地局を通じて発信相手の電話機に発呼し、発信相手の電話機が応呼すれば、発信相手の電話機との間の回線を接続し、通話可能な状態となる。
【００３２】
また、通信制御部５７は、携帯電話機１のユーザが操作キー１４に電子メールアドレスを直接入力すると、入力された電子メールアドレスを発信相手の電子メールアドレスとして履歴記憶部５１および付加情報受付部５９に出力する。さらに、後述する履歴表示部６３から電子メールアドレスが入力されると、入力された電子メールアドレスを発信相手の電子メールアドレスとして履歴記憶部５１および付加情報受付部５９に出力する。通信制御部５７は、発信相手の電子メールアドレスが入力された後、ユーザにより操作キー１４のうち電子メールの発信する操作が割り当てられたキーが押下されたことを検出すれば、基地局を通じて電子メールサーバに電子メールを送信する。
【００３３】
通信履歴を記憶、表示等する場合に、通信相手の識別情報として電話番号または電子メールアドレスのいずれを用いるかは、通信方式が異なるのみなので、以下の説明では通信相手の識別情報として電話番号を用いる場合を例に説明する。
【００３４】
フラッシュメモリ３１は、履歴情報８１と、電話帳８５と、を記憶する。履歴情報８１は、発信相手の識別情報として電話番号を含み、発信の履歴を示す発信履歴情報８２と、着信相手の電話番号を含み、着信の履歴を示す着信履歴情報８３と、を含む。発信履歴情報８２は、発信相手の電話番号と、発信時刻と、発信回数と、を含む。発信時刻は最後に発信した時刻が設定され、発信回数は、そのときまでに発信した回数が設定される。着信履歴情報８３は、着信相手の識別情報として電話番号と、着信時刻と、着信回数とを含む。着信時刻は、最後に着信した時刻が設定され、着信回数は、そのときまでに着信した回数が設定される。なお、発信回数および着信回数を、所定の時間間隔でリセットするようにしてもよい。
【００３５】
したがって、発信履歴情報８２および着信履歴情報８３それぞれは、１つの電話番号に対して１つが記憶される。発信回数および着信回数が、所定の時間間隔でリセットされる場合には、所定の時間単位で、発信履歴情報８２および着信履歴情報８３それぞれが、１つの電話番号に対して１つが記憶される。なお、ここでは発信履歴情報８２が発信回数を含み、着信履歴情報８３が着信回数を含む例を説明するが、発信毎に電話番号と発信時刻とを含む発信履歴情報８２を記憶してもよいし、着信毎に電話番号と着信時刻とを含む着信履歴情報８３を記憶するようにしてもよい。つまり、発信履歴情報８２および着信履歴情報８３のそれぞれが、１つの電話番号に対して少なくとも１つ以上が記憶されるとしてもよい。この場合、同じ電話番号を含む発信履歴情報の数で発信回数を算出でき、同じ電話番号を含む着信履歴情報の数で着信回数を算出できる。
【００３６】
電話帳８５は、識別情報として電話番号または電子メールアドレスと、個人情報としてその電話番号または電子メールアドレスが割り当てられた携帯電話機を所有するユーザの氏名とを関連付ける。なお、個人情報は、氏名に限らす、電話番号または電子メールアドレスが割り当てられた携帯電話機を所有するユーザを識別することが可能な情報であればよい。
【００３７】
履歴記憶部５１は、通信制御部５７から着信相手の電話番号が入力されると、入力される電話番号を含む着信履歴情報を生成し、フラッシュメモリ３１に記憶する。これにより、フラッシュメモリ３１に着信履歴情報８３が記憶される。また、履歴記憶部５１は、通信制御部５７から発信相手の電話番号が入力されると、入力される電話番号を含む発信履歴情報を生成し、フラッシュメモリ３１に記憶する。これにより、フラッシュメモリ３１に発信履歴情報８２が記憶される。
【００３８】
履歴記憶部５１は、生成された着信履歴情報をフラッシュメモリ３１に記憶する際に、生成された着信履歴情報に含まれる電話番号と同じ電話番号を含む着信履歴情報８３が記憶されている場合、生成された着信履歴情報をフラッシュメモリ３１に記憶することなく、フラッシュメモリ３１に既に記憶されており、生成された着信履歴情報に含まれる電話番号と同じ電話番号を含む着信履歴情報８３の着信回数を、それに１を加算した値に変更し、着信時刻をその時の時刻に変更する。同様に、履歴記憶部５１は、生成された発信履歴情報をフラッシュメモリ３１に記憶する際に、生成された発信履歴情報に含まれる電話番号と同じ電話番号を含む発信履歴情報８２が記憶されている場合、生成された発信履歴情報をフラッシュメモリ３１に記憶することなく、フラッシュメモリ３１に既に記憶されており、生成された発信履歴情報に含まれる電話番号と同じ電話番号を含む発信履歴情報８２の発信回数を、それに１を加算した値に変更し、発信時刻をその時の時刻に変更する。
【００３９】
付加情報受付部５９は、入力画面表示部６１を含む。入力画面表示部６１は、通信制御部５７による通話が終了すると、通信相手の電話番号を含む発信履歴情報８２および着信履歴情報８３のいずれにも付加情報が関連付けられていないことを条件に、付加情報を入力するための入力設定画面をＬＣＤ１５に表示する。通信相手の電話番号を含む発信履歴情報８２および着信履歴情報８３のいずれにも付加情報が関連付けられていないことを条件に、入力画面を表示するので、付加情報を個人情報と同じ氏名とする場合に、同じ情報が重複して記憶されるのを防止することができる。また、個人情報と同じ付加情報を記憶しないようにして、フラッシュメモリ３１の記憶容量を有効に利用することができる。さらに、通信制御部５７による通話が終了すると、入力画面を表示するので、付加情報を入力するための入力画面を表示させるために特別な操作をする必要がないので、付加情報を容易に入力することができるとともに、付加情報を入力する適切な機会をユーザに与えることができる。
【００４０】
また、入力画面表示部６１は、後述する履歴表示部６３より付加情報設定指示が入力されると、付加情報を入力するための入力画面をＬＣＤ１５に表示する。付加情報は、ユーザが通信相手を特定するために必要な情報であればよく、ユーザにより操作キー１４に直接入力される情報である。ここでは、付加情報を、通信相手の氏名としている。もちろん、本発明にいう付加情報としては、氏名以外にも任意の文字列、画像、記号、数字またはそれらの組み合わせ等を用いることができる。
【００４１】
付加情報受付部５９は、通信制御部５７による通話が終了した場合、ユーザが入力画面に従って、操作キー１４に入力する付加情報を受け付け、受け付けられた付加情報を、履歴記憶部５１によりフラッシュメモリ３１に記憶された発信履歴情報８２または着信履歴情報８３と関連付けてフラッシュメモリ３１に記憶する。具体的には、発信履歴情報８２または着信履歴情報８３に付加情報を追加して記憶する。
【００４２】
具体的には、通信制御部５７が発信後に開始された通話を終了する場合、発信相手の電話番号を含む発信履歴情報８２が履歴記憶部５１により新たに記憶されるか更新されるが、付加情報受付部５９は、新たに記憶または更新された発信履歴情報８２に付加情報を関連付けて記憶する。なお、発信履歴情報８２に含まれる電話番号と同じ電話番号を含む着信履歴情報８３が記憶されている場合、発信履歴情報８２に加えて着信履歴情報８３に付加情報を関連付けるようにしてもよい。また、通信制御部５７が着信後に開始された通話を終了する場合、着信相手の電話番号を含む着信履歴情報８３が履歴記憶部５１により新たに記憶されるか更新されるが、付加情報受付部５９は、新たに記憶または更新された着信履歴情報８３に付加情報を関連付けて記憶する。なお、着信履歴情報８３に含まれる電話番号と同じ電話番号を含む発信履歴情報８２が記憶されている場合、着信履歴情報８３に加えて発信履歴情報８２に付加情報を関連付けるようにしてもよい。
【００４３】
また、付加情報受付部５９は、履歴表示部６３より付加情報設定指示が入力される場合、ユーザが入力画面に従って、操作キー１４に入力する付加情報を受け付け、受け付けられた付加情報を、付加情報設定指示に含まれる発信履歴情報８２または着信履歴情報８３と関連付けてフラッシュメモリ３１に記憶する。
【００４４】
発信または着信によって開始される通話が終了した後に、ユーザが入力する付加情報を発信履歴情報８２または着信履歴情報８３に追加して記憶するので、ユーザは、通話の相手に関する情報を付加情報として相手の電話番号を含む発信履歴情報８２または着信履歴情報と関連付けて記憶させることができる。このため、通話の相手の電話番号を電話帳８５に登録する必要がなく、通話の相手に関する付加情報を、通話の終了後直ちに電話番号と関連付けて携帯電話機１に記憶させることができる。また、通話の終了後直ちに付加情報を記憶するので、ユーザは、付加情報を電話番号と関連付ける機会を逃すことがなく、また、通話の終了後に電話番号と通話の相手との関係を忘れた場合であっても、付加情報から通話の相手を思い出すことができ、電話番号を特定することができる。
【００４５】
履歴表示部６３は、ユーザが操作キー１４に履歴表示指示を入力すると、履歴情報８１を読み出して、読み出した履歴情報８１をＬＣＤ１５に一覧表示する。具体的には、ユーザが発信履歴の履歴表示指示を操作キー１４に入力すると、発信履歴情報８２を読み出して、発信時刻順に並び替えて一覧表示する。また、履歴表示部６３は、ユーザが着信履歴の履歴表示指示を操作キー１４に入力すると、着信履歴情報８３を読み出して、着信時刻順に並び替えて一覧表示する。
【００４６】
履歴表示部６３は、付加情報表示部６５と、代替表示部６７とを含む。代替表示部６７は、フラッシュメモリ３１から着信履歴情報８３が読み出される場合、フラッシュメモリ３１に記憶されている電話帳８５を参照し、フラッシュメモリ３１から読み出された着信履歴情報８３に含まれる電話番号が電話帳８５に登録されていれば、その電話番号に対応付けられた氏名を取得し、電話番号に代えて氏名を表示する。同様に、代替表示部６７は、フラッシュメモリ３１から発信履歴情報８２が読み出される場合、フラッシュメモリ３１に記憶されている電話帳８５を参照し、フラッシュメモリ３１から読み出された発信履歴情報８２に含まれる電話番号が電話帳８５に登録されていれば、その電話番号に対応付けられた氏名を取得し、電話番号に代えて氏名を表示する。
【００４７】
代替表示部６７は、フラッシュメモリ３１から読み出された着信履歴情報８３または発信履歴情報８２に含まれる電話番号が電話帳８５に登録されていない場合、フラッシュメモリ３１から読み出された着信履歴情報８３または発信履歴情報８２を含む付加情報表示指示を付加情報表示部６５に出力する。
【００４８】
付加情報表示部６５は、代替表示部６７から付加情報表示指示が入力されると、それに含まれる着信履歴情報８３または発信履歴情報８２に付加情報が関連付けられていれば、着信履歴情報８３または発信履歴情報８２に関連付けられた付加情報を、電話番号に代えて表示する。
【００４９】
したがって、履歴表示部６３は、発信履歴情報８２を表示する際に、表示対象となる発信履歴情報８２に含まれる電話番号が電話帳８５に登録されていれば、電話番号に代えて電話帳８５により電話番号と関連付けられた氏名を表示し、電話帳８５に登録されておらず、かつ、表示対象となる発信履歴情報８２に付加情報が関連付けられていれば、電話番号に代えて付加情報を表示し、付加情報が関連付けられていなければ電話番号を表示する。同様に、履歴表示部６３は、着信履歴情報８３を表示する際に、表示対象となる着信履歴情報８３に含まれる電話番号が電話帳８５に登録されていれば、電話番号に代えて電話帳８５に電話番号と関連付けられた氏名を表示し、電話帳８５に登録されておらず、かつ、表示対象となる着信履歴情報８３に付加情報が関連付けられていれば、電話番号に代えて付加情報を表示し、付加情報が関連付けられていなければ電話番号を表示する。
【００５０】
履歴表示部６３は、一覧表示した発信履歴情報８２または着信履歴情報８３のいずれか１つが選択され、操作キー１４のうち発信する操作が割り当てられたキー（オフフックキー）が押下されると、選択された発信履歴情報８２または着信履歴情報８３に含まれる電話番号を、通信制御部５７に出力する。また、履歴表示部６３は、一覧表示した発信履歴情報８２または着信履歴情報８３のいずれか１つが選択され、操作キー１４のうち付加情報を設定するための操作が割り当てられたキーが押下されると、発信履歴情報８２または着信履歴情報８３のうちから選択された１つを含む付加情報設定指示を、付加情報受付部５９に出力する。
【００５１】
図４は、入力画面の一例を示す図である。図４を参照して、入力画面２０１は、履歴表示画面２００の一部として表示される画面である。ここでは、着信履歴情報８３を一覧表示する履歴表示画面２００の一部に表示される入力画面２０１を示している。履歴表示画面２００は、複数の着信履歴情報８３を一覧表示するための領域８３Ａ，８３Ｂと、領域８３Ａ内に重畳して表示される入力画面２０１と、を含む。
【００５２】
図４に示す履歴表示画面２００および入力画面２０１は、電話番号「０９０ＸＸＸＸＸＸＸＸ」から着信があった場合に、その着信に基づく通話が終了した時に表示される。なお、履歴表示画面２００が発信履歴情報を一覧表示する画面の場合、履歴表示画面２００および入力画面２０１は、電話番号「０９０ＸＸＸＸＸＸＸＸ」に発信があった場合に、その発信に基づく通話が終了した時に表示される。
【００５３】
また、履歴表示指示が入力された場合に履歴表示画面２００が表示されるが、この段階では入力画面２０１は表示されずに履歴表示画面２００のみが表示される。その後、領域８３Ａが選択され、操作キー１４のうち付加情報を設定するための操作が割り当てられたキーが押下されることに応じて、入力画面２０１が履歴表示画面２００に重畳して表示される。
【００５４】
入力画面２０１は、文字を入力可能な領域を含み、最初に表示される時点においては、着信履歴情報８３に含まれる電話番号が表示される。ユーザが操作キー１４から文字を入力すれば、最初に表示されていた電話番号の表示に代えて、入力される文字が表示される。
【００５５】
図５は、付加情報が入力された後の入力画面の一例を示す図である。図５を参照して、入力画面２０１は、付加情報としてユーザにより操作キー１４から入力された文字列「かきくけこ」が表示されている。これは、図４に示した入力画面２０１において、付加情報「かきくけこ」が入力されることにより、入力画面２０１に表示されていた電話番号「０９０ＸＸＸＸＸＸＸＸ」に代えて、付加情報「かきくけこ」が表示されることによるものである。
【００５６】
図６は、着信処理の流れの一例を示すフローチャートである。着信処理は、ＣＰＵ２１が通信履歴表示プログラムを実行することにより、ＣＰＵ２１により実行される処理である。図６を参照して、ＣＰＵ２１は、着信を検出したか否かを判断する（ステップＳ０１）。無線回路２２が基地局から着呼信号を受信すると、着信を検出する。着信を検出するまで待機状態となり（ステップＳ０１でＮＯ）、着信を検出すると（ステップＳ０１でＹＥＳ）、処理をステップＳ０２に進める。すなわち、着信処理は、携帯電話機１が着信することを条件に実行される処理である。
【００５７】
ステップＳ０２においては、着信相手の電話番号を取得する。無線回路２２が基地局から受信する着呼信号に含まれる電話番号を着信相手の電話番号として取得する。そして、着信相手の電話番号が電話帳８５に登録されているか否かを判断する（ステップＳ０３）。着信相手の電話番号が電話帳８５に登録されていれば処理をステップＳ０４に進め、そうでなければ処理をステップＳ１０に進める。ステップＳ０４においては、電話帳８５において、ステップＳ０２において取得された着信相手の電話番号に関連付けられた氏名を取得し、処理をステップＳ０５に進める。そして、ステップＳ０４において取得された氏名をＬＣＤ１５に表示し（ステップＳ０５）、処理をステップＳ０６に進める。
【００５８】
ステップＳ０６においては、着信履歴情報をフラッシュメモリ３１に記憶し、処理をステップＳ０７に進める。具体的には、ステップＳ０２において取得された電話番号を含む着信履歴情報８３がフラッシュメモリ３１に記憶されていなければ、新たな着信履歴情報を生成し、記憶する。ステップＳ０２において取得された電話番号を含む着信履歴情報８３がフラッシュメモリ３１に記憶されていれば、その着信履歴情報８３を更新する。更新は、着信履歴情報８３の着信回数の値を、それに１を加算した値に変更し、着信時刻に着信した時刻を設定する。
【００５９】
ステップＳ０７においては、操作キー１４のオフフックキーが押下されたか否かを判断する。オフフックキーが押下されたことを検出したならば処理をステップＳ０８に進めるが、そうでなければ処理を終了する。ステップＳ０８においては、無線回路２２に回線を接続させ、通話可能な状態にする。そして、通話が終了したか否かを判断する（ステップＳ０９）。具体的には、操作キー１４のオンフックキーが押下されたか否か、または、無線回路２２が接続した回線が切断されたか否かを判断する。操作キー１４のオンフックキーが押下を検出した場合、または、無線回路２２が接続した回線の切断を検出した場合、処理を終了するが、そうでなければ処理をステップＳ０８に戻し、通話を継続する。
【００６０】
一方、ステップＳ１０においては、着信履歴情報８３を検索し、ステップＳ０２において取得された着信相手の電話番号を含む着信履歴情報８３を抽出したか否かを判断する。そのような着信履歴情報８３を抽出したならば処理をステップＳ１１に進めるが、そうでなければ処理をステップＳ１３に進める。ステップＳ１１においては、抽出された着信履歴情報８３に付加情報が関連付けられているか否かを判断する。付加情報が関連付けられていれば処理をステップＳ１２に進めるが、そうでなければ処理をステップＳ１３に進める。
【００６１】
ステップＳ１３においては、発信履歴情報８２を検索し、ステップＳ０２において取得された着信相手の電話番号を含む発信履歴情報８２を抽出したか否かを判断する。そのような発信履歴情報８２を抽出したならば処理をステップＳ１４に進めるが、そうでなければステップＳ１４をスキップして処理をステップＳ１５に進める。ステップＳ１４においては、抽出された発信履歴情報８２に付加情報が関連付けられているか否かを判断する。付加情報が関連付けられていれば処理をステップＳ１２に進めるが、そうでなければステップＳ１５に進める。
【００６２】
ステップＳ１２においては、処理がステップＳ１１から進む場合、ステップＳ１１において取得された付加情報をＬＣＤ１５に表示し、処理をステップＳ０６に進め、処理がステップＳ１４から進む場合、ステップＳ１４において取得された付加情報をＬＣＤ１５に表示し、処理をステップＳ０６に進める。
【００６３】
ステップＳ１５においては、ステップＳ０２において取得された電話番号をＬＣＤ１５に表示し、処理をステップＳ１６に進める。ステップＳ１６〜ステップＳ１９の処理は、ステップＳ０６〜ステップＳ０９の処理と同じなのでここでは説明を繰返さない。
【００６４】
そして、ステップＳ１９において通話が終了すると判断される場合、処理をステップＳ２０に進める。ステップＳ２０においては、入力画面を表示する。着信履歴情報８３を一覧表示する履歴表示画面をＬＣＤ１５に表示するとともに、ステップＳ０２において取得された電話番号を含む着信履歴情報８３を表示する領域に、文字を入力可能な入力画面を表示する。例えば、図４に示した履歴表示画面２００および入力画面２０１が表示される。
【００６５】
そして、付加情報が設定されたか否かを判断する（ステップＳ２１）。ステップＳ２０において表示された入力画面に、付加情報が入力されると、付加情報が設定されたと判断する。付加情報が入力されたならば着信履歴情報８３に入力された付加情報を関連付けて、フラッシュメモリ３１に記憶し（ステップＳ２２）、処理を終了する。
【００６６】
図７は、発信処理の流れの一例を示すフローチャートである。発信処理は、ＣＰＵ２１が通信履歴表示プログラムを実行することにより、ＣＰＵ２１により実行される処理である。図７を参照して、ＣＰＵ２１は、履歴一覧表示指示を受け付けたか否かを判断する（ステップＳ３１）。ユーザが操作キー１４に履歴表示指示を入力すると、履歴一覧表示指示を受け付ける。履歴一覧表示指示を受け付けるまで待機状態となり（ステップＳ３１でＮＯ）、履歴一覧表示指示を受け付けたならば処理をステップＳ３２に進める。履歴一覧表示指示は、着信履歴情報８３を一覧表示させるための指示と、発信履歴情報８２を一覧表示させるための指示と、を含む。着信履歴情報８３と発信履歴情報８２とのいずれを表示するかが異なるのみなので、ここでは、履歴一覧表示指示を、着信履歴情報８３を一覧表示させるための指示とする場合を例に説明する。
【００６７】
ステップＳ３２においては、着信履歴情報８３のうちから着信時刻が前の順に１つを処理対象として選択する。そして、選択された着信履歴情報８３に含まれる電話番号を取得する（ステップＳ３３）。
【００６８】
次のステップＳ３４においては、選択された着信履歴情報８３に含まれる電話番号が電話帳８５に登録されているか否かを判断する。電話帳８５に登録されていれば処理をステップＳ３５に進め、そうでなければ処理をステップＳ３７に進める。ステップＳ３５においては、電話帳８５において、ステップＳ３２において選択された着信履歴情報に含まれる電話番号に関連付けられた氏名を取得し、処理をステップＳ３６に進める。ステップＳ３６においては、ステップＳ３２において選択された着信履歴情報８３をＬＣＤ１５に表示するが、着信履歴情報８３に含まれる電話番号に代えて、ステップＳ３５において電話帳８５から取得された氏名を表示し、処理をステップＳ４０に進める。
【００６９】
一方、ステップＳ３７においては、ステップＳ３２において選択された着信履歴情報に付加情報が関連付けられているか否かを判断する。付加情報が関連付けられていれば処理をステップＳ３８に進めるが、そうでなければ処理をステップＳ３９に進める。ステップＳ３８においては、ステップＳ３２において選択された着信履歴情報８３をＬＣＤ１５に表示するが、着信履歴情報８３に含まれる電話番号に代えて、着信履歴情報８３に関連付けられた付加情報を表示し、処理をステップＳ４０に進める。ステップＳ３９においては、ステップＳ３２において選択された着信履歴情報８３を表示し、処理をステップＳ４０に進める。
【００７０】
ステップＳ４０においては、未だ処理対象に選択されていない着信履歴情報が存在するか否かを判断する。未処理の着信履歴情報が存在するならば処理をステップＳ３２に戻すが、そうでなければ処理をステップＳ４１に進める。
【００７１】
ステップＳ４１においては、ＬＣＤ１５に表示された着信履歴情報のうちから１つが選択されたか否かを判断する。１つの着信履歴情報が選択されたならば処理をステップＳ４２に進め、そうでなければ処理を終了する。
【００７２】
ステップＳ４２においては、操作キー１４のオフフックキーが押下されたか否かを判断する。オフフックキーが押下を検出したならば処理をステップＳ４３に進めるが、そうでなければ処理を終了する。ステップＳ４３においては、無線回路２２に回線を接続させ、通話可能な状態にする。そして、通話が終了したか否かを判断する（ステップＳ４４）。通話が終了したと判断する場合、処理をステップＳ４５に進めるが、そうでなければ処理をステップＳ４３に戻し、通話を継続する。
【００７３】
ステップＳ４５においては、発信履歴情報をフラッシュメモリ３１に記憶し、処理をステップＳ４６に進める。具体的には、ステップＳ４１において選択された着信履歴情報８３に含まれる電話番号を含む発信履歴情報８２がフラッシュメモリ３１に記憶されていなければ、新たな発信履歴情報を生成し、フラッシュメモリ３１に記憶する。ステップＳ４１において選択された着信履歴情報８３に含まれる電話番号を含む発信履歴情報８２がフラッシュメモリ３１に記憶されていれば、その発信履歴情報８２を更新する。更新は、発信履歴情報８２の着信回数の値を、それに１を加算した値に変更し、発信時刻に発信した時刻を設定する。
【００７４】
ステップＳ４６においては、ステップＳ４１において選択された着信履歴情報８３に含まれる電話番号が電話帳８５に登録されているか否かを判断する。電話帳８５に登録されていれば処理を終了するが、そうでなければ処理をステップＳ４７に進める。電話帳８５に登録されている電話番号に、付加情報を関連付けないようにするためである。
【００７５】
ステップＳ４７にいては、ステップＳ４１において選択された着信履歴情報８３に付加情報が関連付けられているか否かを判断する。付加情報が関連付けられていれば処理を終了するが、そうでなければ処理をステップＳ４８に進める。
【００７６】
ステップＳ４８においては、入力画面を表示する。発信履歴情報８２を一覧表示する履歴表示画面をＬＣＤ１５に表示するとともに、ステップＳ４１において選択された着信履歴情報８３に含まれる電話番号を含む発信履歴情報８２を表示する領域に、文字を入力可能な入力画面を表示する。
【００７７】
そして、付加情報が設定されたか否かを判断する（ステップＳ４９）。ステップＳ４７において表示された入力画面に、付加情報が入力されると、ステップＳ４５において更新された発信履歴情報８２に入力された付加情報を関連付けて、フラッシュメモリ３１に記憶し（ステップＳ５０）、処理を終了する。このステップＳ４８〜ステップＳ５０における付加情報の入力処理は、前述の図６におけるステップＳ２０〜ステップＳ２２の処理と同様である。付加情報が関連付けられる発信履歴情報８２は、ステップＳ４１において選択された着信履歴情報８３に含まれる電話番号を含む。
【００７８】
一方、ステップＳ５１においては、付加情報設定指示を受け付けたか否かを判断する。操作キー１４のうち付加情報を設定するための操作が割り当てられたキーの押下を検出すると、付加情報設定指示を受け付ける。付加情報設定指示を受け付けたならば処理をステップＳ５２に進めるが、そうでなければ処理をステップＳ４１に戻す。ステップＳ５２においては、ステップＳ４１において選択された着信履歴情報８３に含まれる電話番号が電話帳８５に登録されているか否かを判断する。電話帳８５に登録されていれば処理をステップＳ４１に戻すが、そうでなければ処理をステップＳ５３に進める。電話帳８５に登録されている電話番号に、付加情報を関連付けないようにするためである。
【００７９】
ステップＳ５３においては、入力画面をＬＣＤ１５に表示する。ステップＳ３２〜ステップＳ４０において表示された着信履歴情報８３を一覧表示する履歴表示画面において、ステップＳ４１において選択された着信履歴情報８３が表示されている領域に、文字を入力可能な入力画面を表示する。
【００８０】
そして、付加情報が設定されたか否かを判断する（ステップＳ５４）。ステップＳ５３において表示された入力画面に付加情報が入力されると、付加情報が設定されたと判断する。付加情報が入力されたならば、ステップＳ４１において選択された着信履歴情報８３に入力された付加情報を関連付けて、フラッシュメモリ３１に記憶し（ステップＳ５５）、処理をステップＳ４１に戻す。
【００８１】
以上説明したように本実施の形態における通信装置としての携帯電話機１は、過去の通信相手の電話番号を含み、通信の履歴を示す発信履歴情報８２および着信履歴情報８３と、通信相手の電話番号に対応した氏名を記憶する電話帳８５とをフラッシュメモリ３１に記憶しており、発信履歴情報８２または着信履歴情報８３に含まれる電話番号に対応する付加情報（氏名等）を受け付け、記憶し、発信履歴情報８２または着信履歴情報８３を表示する際に、それらに含まれる電話番号に対応する氏名が電話帳８３に記憶されている場合、電話番号に代えて、氏名を表示し、電話番号に対応する氏名が電話帳８３に記憶されておらず、かつ、電話番号に対応する付加情報が記憶されている場合、電話番号に代えて付加情報を表示する。このため、発信履歴情報８２または着信履歴情報８３を表示する際に電話番号に代えて、電話帳８５に登録された氏名、または付加情報が表示されるので、通話の相手を電話番号とは別の氏名または付加情報で判断することができる。その結果、発信履歴情報８２または着信履歴情報８３から通話の相手の特定を容易にすることができる。また、電話帳８５とは別に付加情報を記憶するので、付加情報と電話帳８５とを別々に記憶することができ、電話帳８５を記憶するフラッシュメモリ３１の記憶容量を浪費することがなく、フラッシュメモリ３１を効率的に使用することができる。
【００８２】
また、電話番号が電話帳８５に登録されていない場合に付加情報を表示するので、付加情報が電話帳に登録された氏名と同じ場合に重複して氏名が表示されるのを防止することができる。
【００８３】
また、電話番号が電話帳に登録されている場合、付加情報を受け付けないので、付加情報を氏名とする場合に重複して同じ氏名が記憶されるのを防止することができる。
【００８４】
また、通信相手との通信が終了すること応じて、付加情報を入力するための入力画面を表示するので、付加情報を入力するための操作が容易となり、付加情報を入力する適切な機会をユーザに与えることができる。
【００８５】
なお、上述した実施の形態においては、通信装置の一例として携帯電話機１を例に説明したが、図６および図７に示した処理を実行するための通信履歴表示方法または通信履歴表示方法を携帯電話機１を制御するＣＰＵ２１に実行させるための通信履歴表示プログラムとして発明を捉えることができるのは、言うまでもない。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８７】
【図１】本発明の実施の形態の一つにおける携帯電話の外観を示す斜視図である。
【図２】本実施の形態における携帯電話機のハードウェア構成の一例を示すブロック図である。
【図３】本発明の実施の形態の１つにおける携帯電話機のＣＰＵの機能の概要をフラッシュメモリに記憶する情報とともに示す機能ブロック図である。
【図４】入力画面の一例を示す図である。
【図５】付加情報が入力された後の入力画面の一例を示す図である。
【図６】着信処理の流れの一例を示すフローチャートである。
【図７】発信処理の流れの一例を示すフローチャートである。
【符号の説明】
【００８８】
１  携帯電話機、２  表示側部、３  操作側部、１１  スピーカ、１３  マイクロフォン、１４  操作キー、２１  制御部、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、３１  フラッシュメモリ、５１  履歴記憶部、５７  通信制御部、５９  付加情報受付部、６１  入力画面表示部、６３  履歴表示部、６５  付加情報表示部、６７  代替表示部、８１  履歴情報、８２  発信履歴情報、８３  着信履歴情報、８５  電話帳、２０１  入力画面。
【図１】
2010141539.tif 000003
【図２】
2010141539.tif 000004
【図３】
2010141539.tif 000005
【図４】
2010141539.tif 000006
【図５】
2010141539.tif 000007
【図６】
2010141539.tif 000008
【図７】
2010141539.tif 000009